(57)【要約】【課題】テレビ番組を録画するために他の機器を用いた場合でも、ユーザに負担が掛かるのを抑制することが可能な録画装置を提供する。【解決手段】この親機１（録画装置）は、テレビ番組を録画するＨＤＤ１５と、テレビジョン信号を受信可能な第１子機２との間で通信可能な通信部１６１と、親機１により録画の指示を受け付けたテレビ番組を録画するためのテレビジョン信号を受信するように通信部１６１を介して第１子機２に指示する制御を行う制御部１６とを備える。【選択図】図１
2011120130.tif 000002
【特許請求の範囲】
【請求項１】
同時刻に所定数のテレビジョン信号を受信可能なチューナ部と、
ユーザによるテレビ番組の録画の指示を受け付ける録画受付部と、
前記録画受付部により録画の指示が受け付けられたテレビ番組を録画する録画部と、
テレビジョン信号を受信可能な他の機器との間で通信可能な通信部と、
前記録画受付部により録画の指示が受け付けられたテレビ番組を録画するためのテレビジョン信号を受信するように前記通信部を介して前記他の機器に指示する制御を行う制御部とを備える、録画装置。
【請求項２】
前記制御部は、前記録画受付部により録画の指示が受け付けられた同時刻におけるテレビ番組の数が前記チューナ部が受信可能な前記所定数よりも多い場合に、前記録画受付部により録画の指示が受け付けられたテレビ番組を録画するためのテレビジョン信号を受信するように前記他の機器に指示するように構成されている、請求項１に記載の録画装置。
【請求項３】
前記他の機器は、受信したテレビ番組を録画可能に構成されており、
前記制御部は、前記録画受付部により録画の指示が受け付けられたテレビ番組を録画するように前記他の機器に指示するように構成されている、請求項１または２に記載の録画装置。
【請求項４】
表示装置を接続可能な接続部をさらに備え、
前記制御部は、前記録画部により録画されたテレビ番組および前記他の機器により録画されたテレビ番組の両方を一覧表示するように前記表示装置を制御するように構成されている、請求項３に記載の録画装置。
【請求項５】
前記制御部は、前記録画部および前記他の機器の録画可能な空き容量を確認するとともに、前記録画部および前記他の機器の一方の空き容量が所定の容量以下の場合に、前記録画部および前記他の機器の一方から他方にデータを移動する制御を行うように構成されている、請求項３または４に記載の録画装置。
【請求項６】
前記制御部は、前記他の機器がテレビ番組を録画することができない場合に、前記他の機器により受信されたテレビ番組を前記録画部に録画するように制御するように構成されている、請求項１または２に記載の録画装置。
【請求項７】
前記通信部は、複数の前記他の機器との間で通信可能に構成されている、請求項１〜６のいずれか１項に記載の録画装置。
【請求項８】
前記制御部は、前記録画受付部により録画の指示が受け付けられたテレビ番組を録画するためのテレビジョン信号を受信するように前記複数の他の機器のうちの所定の機器に指示する際に、待機状態にある前記複数の他の機器のうちの前記所定の機器に対して前記待機状態から動作状態に切り替えるように指示するように構成されている、請求項７に記載の録画装置。
【請求項９】
同時刻に所定数のテレビジョン信号を受信可能な第１チューナ部と、ユーザによるテレビ番組の録画の指示を受け付ける録画受付部と、前記録画受付部により録画の指示が受け付けられたテレビ番組を録画する録画部と、第１制御部とを含む親機と、
前記親機の前記第１制御部と通信可能に構成された第２制御部と、テレビジョン信号を受信可能な第２チューナ部とを含む子機とを備え、
前記親機の第１制御部は、前記親機の前記録画受付部により録画の指示が受け付けられたテレビ番組を録画するためのテレビジョン信号を前記子機の前記第２チューナ部により受信するように前記第２制御部に指示するように構成されている、録画システム。
【発明の詳細な説明】
【技術分野】
【０００１】
この発明は、録画装置および録画システムに関し、特に、テレビ番組を録画可能な録画装置および録画システムに関する。
【背景技術】
【０００２】
従来、テレビ番組を録画可能な録画装置が知られている（たとえば、特許文献１参照）。
【０００３】
上記特許文献１には、同時刻に複数のテレビジョン信号を受信可能なチューナ部と、テレビ番組を録画するためのハードディスクドライブ（録画部）とを備えた録画装置が開示されている。この録画装置では、チューナ部により同時刻に複数のテレビジョン信号を受信することによって、同時刻に複数のテレビ番組を録画することが可能である。
【先行技術文献】
【特許文献】
【０００４】
【特許文献１】特開２００８−２３６５９９号公報
【発明の概要】
【発明が解決しようとする課題】
【０００５】
上記特許文献１には、同時刻に複数のテレビ番組を録画可能な録画装置が開示されている一方、録画装置により受信可能な局数よりも多い数のテレビ番組を同時刻に録画する構成については記載されていないので、上記特許文献１では、録画装置により受信可能な局数よりも多い数のテレビ番組を同時刻に録画することはできないという不都合がある。
【０００６】
そこで、上記不都合を解消するために、１つの録画装置により受信可能な局数よりも多い数のテレビ番組を同時刻に録画するためにさらに他の録画装置（他の機器）を用いる構成が考えられる。
【０００７】
しかしながら、テレビ番組を録画するために他の録画装置（他の機器）を用いる場合には、ユーザはそれぞれの録画装置に対して録画の指示を別個に行う必要があるので、ユーザに負担が掛かるという問題点がある。
【０００８】
この発明は、上記のような課題を解決するためになされたものであり、この発明の１つの目的は、テレビ番組を録画するために他の機器を用いた場合でも、ユーザに負担が掛かるのを抑制することが可能な録画装置および録画システムを提供することである。
【課題を解決するための手段および発明の効果】
【０００９】
この発明の第１の局面による録画装置は、同時刻に所定数のテレビジョン信号を受信可能なチューナ部と、ユーザによるテレビ番組の録画の指示を受け付ける録画受付部と、録画受付部により録画の指示が受け付けられたテレビ番組を録画する録画部と、テレビジョン信号を受信可能な他の機器との間で通信可能な通信部と、録画受付部により録画の指示が受け付けられたテレビ番組を録画するためのテレビジョン信号を受信するように通信部を介して他の機器に指示する制御を行う制御部とを備える。
【００１０】
この発明の第１の局面による録画装置では、上記のように、録画受付部により録画の指示が受け付けられたテレビ番組を録画するためのテレビジョン信号を受信するように他の機器に指示する制御を行う制御部を設けることによって、制御部による指示に基づいて、録画装置の録画受付部により録画の指示が受け付けられたテレビ番組を録画の指示を受け付けていない他の機器により受信することができるので、ユーザは１つの録画装置に対して録画の指示を行うだけで、他の機器でもテレビ番組を受信することができる。これにより、テレビ番組を録画するために他の機器を用いた場合でも、ユーザに負担が掛かるのを抑制することができる。
【００１１】
上記第１の局面による録画装置において、好ましくは、制御部は、録画受付部により録画の指示が受け付けられた同時刻におけるテレビ番組の数がチューナ部が受信可能な所定数よりも多い場合に、録画受付部により録画の指示が受け付けられたテレビ番組を録画するためのテレビジョン信号を受信するように他の機器に指示するように構成されている。このように構成すれば、１つの録画装置により受信可能な局数よりも多い数のテレビ番組を同時刻に受信することができるので、１つの録画装置により受信可能な局数よりも多い数のテレビ番組を同時刻に録画することができる。すなわち、ユーザに負担が掛かるのを抑制しながら、１つの録画装置により受信可能な局数よりも多い数のテレビ番組を同時刻に録画することができる。
【００１２】
上記第１の局面による録画装置において、好ましくは、他の機器は、受信したテレビ番組を録画可能に構成されており、制御部は、録画受付部により録画の指示が受け付けられたテレビ番組を録画するように他の機器に指示するように構成されている。このように構成すれば、他の機器により受信されたテレビ番組を録画装置の録画部により録画する必要がないので、録画部の空き容量が小さくなるのを抑制することができる。
【００１３】
この場合、好ましくは、表示装置を接続可能な接続部をさらに備え、制御部は、録画部により録画されたテレビ番組および他の機器により録画されたテレビ番組の両方を一覧表示するように表示装置を制御するように構成されている。このように構成すれば、録画装置および他の機器のいずれに録画されたテレビ番組であっても、ユーザが録画されたテレビ番組を一覧表示で確認することができる。これによっても、ユーザの負担を軽減することができる。
【００１４】
上記他の機器がテレビ番組を録画可能な構成において、好ましくは、制御部は、録画部および他の機器の録画可能な空き容量を確認するとともに、録画部および他の機器の一方の空き容量が所定の容量以下の場合に、録画部および他の機器の一方から他方にデータを移動する制御を行うように構成されている。このように構成すれば、録画部および他の機器の一方の空き容量だけが極端に小さくなるのを抑制することができる。
【００１５】
上記第１の局面による録画装置において、好ましくは、制御部は、他の機器がテレビ番組を録画することができない場合に、他の機器により受信されたテレビ番組を録画部に録画するように制御するように構成されている。このように構成すれば、他の機器によりテレビ番組を録画することができない場合（他の機器が録画部を有していない場合）でも、他の機器により受信されたテレビ番組を確実に録画することができる。
【００１６】
上記第１の局面による録画装置において、好ましくは、通信部は、複数の他の機器との間で通信可能に構成されている。このように構成すれば、他の機器を複数用いることができるので、同時刻に受信可能なテレビ番組数を増加させることができ、その結果、同時刻に録画可能なテレビ番組数を増加させることができる。
【００１７】
この場合、好ましくは、制御部は、録画受付部により録画の指示が受け付けられたテレビ番組を録画するためのテレビジョン信号を受信するように複数の他の機器のうちの所定の機器に指示する際に、待機状態にある複数の他の機器のうちの所定の機器に対して待機状態から動作状態に切り替えるように指示するように構成されている。このように構成すれば、複数の他の機器のうちの所定の機器以外の他の機器を待機状態のまま維持することができるので、消費電力の低減を図ることができる。
【００１８】
この発明の第２の局面による録画システムは、同時刻に所定数のテレビジョン信号を受信可能な第１チューナ部とユーザによるテレビ番組の録画の指示を受け付ける録画受付部と録画受付部により録画の指示が受け付けられたテレビ番組を録画する録画部と第１制御部とを含む親機と、親機の第１制御部と通信可能に構成された第２制御部とテレビジョン信号を受信可能な第２チューナ部とを含む子機とを備え、親機の第１制御部は、親機の録画受付部により録画の指示が受け付けられたテレビ番組を録画するためのテレビジョン信号を子機の第２チューナ部により受信するように第２制御部に指示するように構成されている。
【００１９】
この発明の第２の局面による録画システムでは、上記のように、親機の第１制御部を、親機の録画受付部により録画の指示が受け付けられたテレビ番組を録画するためのテレビジョン信号を子機の第２チューナ部により受信するように第２制御部に指示するように構成することによって、第１制御部による指示に基づいて、親機の録画受付部により録画の指示が受け付けられたテレビ番組を録画の指示を受け付けていない子機により受信することができるので、ユーザは親機に対して録画の指示を行うだけで、子機でもテレビ番組を受信することができる。これにより、テレビ番組を録画するために他の機器（子機）を用いた場合でも、ユーザに負担が掛かるのを抑制することができる。
【図面の簡単な説明】
【００２０】
【図１】本発明の一実施形態による録画システムの全体構成を示したブロック図である。
【図２】本発明の一実施形態による録画システムのＨＤＤの空き確認処理について説明するためのフローチャートである。
【図３】本発明の一実施形態による録画システムの録画処理について説明するためのフローチャートである。
【図４】本発明の一実施形態による録画システムの録画処理について説明するためのフローチャートである。
【図５】本発明の一実施形態による録画システムの再生処理について説明するためのフローチャートである。
【図６】本発明の一実施形態による録画システムの再生処理について説明するための録画番組リストを示した表示画面図である。
【発明を実施するための形態】
【００２１】
以下、本発明の実施形態を図面に基づいて説明する。
【００２２】
まず、図１を参照して、本発明の一実施形態による録画システム１００の構成について説明する。
【００２３】
本発明の一実施形態による録画システム１００は、図１に示すように、親機１と、第１子機２と、第２子機３とにより主として構成されている。親機１、第１子機２および第２子機３は、互いに双方向通信可能に接続されている。なお、親機１は、本発明の「録画装置」の一例であり、第１子機２および第２子機３は、本発明の「他の機器」の一例である。
【００２４】
親機１は、チューナ部（Ｔｕｎｅｒ）１１と、ローダ１２と、入出力端子１３と、リモコン受信部１４と、ＨＤＤ（ハードディスクドライブ）１５と、制御部１６と、電源部１７とを備えている。親機１は、チューナ部１１により受信したテレビ番組を録画可能に構成されている。なお、チューナ部１１は、本発明の「第１チューナ部」の一例である。
【００２５】
親機１のチューナ部１１は、同時刻に２つのテレビジョン信号を受信可能に構成されている。ローダ１２は、図示しないＤＶＤおよびＢＤ（Ｂｌｕ−ｒａｙ  Ｄｉｓｃ）（登録商標）に記録されたデータを読み出すために設けられている。入出力端子１３は、外部機器から音声信号および映像信号を受け入れるとともに、外部機器に音声信号および映像信号を出力するために設けられている。本実施形態では、入出力端子１３には、ＴＶ１３１が接続されている。リモコン受信部１４は、リモコン１４１から送信される信号を受信する機能を有している。ユーザがリモコン１４１を用いてテレビ番組の録画指示や録画予約を行う際には、リモコン受信部１４により録画指示や録画予約の信号が受信される。ＨＤＤ１５は、テレビ番組を録画する機能を有している。なお、入出力端子１３は、本発明の「接続部」の一例であり、ＨＤＤ１５は、本発明の「録画部」の一例である。また、ＴＶ１３１は、本発明の「表示装置」の一例である。
【００２６】
制御部１６は、親機１の各部と通信可能に接続されており、各部を制御可能に構成されている。また、制御部１６は、ＴＶ１３１の図示しない録画受付画面を介して、ユーザから録画指示および録画予約を受け付けるように構成されている。この際、ユーザは、リモコン１４１を用いて録画指示および録画予約を行うことが可能である。また、制御部１６は、通信部１６１およびフラッシュメモリ１６２を有している。制御部１６の通信部１６１は、ＵＳＢ接続可能に構成されている。また、通信部１６１は、第１子機２および第２子機３の後述する通信部２３１および３２１に接続されている。これにより、制御部１６は、第１子機２および第２子機３と通信することが可能である。また、制御部１６のフラッシュメモリ１６２には、図示しないアプリケーションプログラムが格納されている。制御部１６は、このアプリケーションプログラムを実行することによって、後述するＨＤＤの空き確認処理（図２参照）、録画処理（図３および図４参照）および再生処理（図５参照）を行うように構成されている。なお、制御部１６は、本発明の「録画受付部」および「第１制御部」の一例である。
【００２７】
電源部１７は、制御部１６からの指示に基づいて、親機１を電源オフ状態、スタンバイ状態（待機状態）、内部パワーオン状態および動作状態の各状態に切り替える機能を有している。ここで、電源オフ状態とは、装置の各部に電力が供給されない状態であり、スタンバイ状態（待機状態）とは、制御部１６など装置の一部にだけ電力が供給される状態である。また、内部パワーオン状態とは、スタンバイ状態（待機状態）における状態であり、制御部１６に加えてＨＤＤ１５など内部の所定部分にのみさらに電力が供給される状態である。また、動作状態とは、装置の全体に電力が供給される状態である。
【００２８】
第１子機２は、チューナ部（Ｔｕｎｅｒ）２１と、ＨＤＤ（ハードディスクドライブ）２２と、制御部２３と、電源部２４とを備えている。また、第１子機２は、チューナ部２１により受信したテレビ番組を録画可能に構成されている。第２子機３は、チューナ部（Ｔｕｎｅｒ）３１と、制御部３２と、電源部３３とを備えている。また、第２子機３は、第１子機２と異なり、ＨＤＤを備えていない。また、第２子機３のＨＤＤを備えていないこと以外の構成は、第１子機２と同様である。なお、チューナ部２１および３１は、本発明の「第２チューナ部」の一例であり、制御部２３および３２は、本発明の「第２制御部」の一例である。
【００２９】
第１子機２（第２子機３）のチューナ部２１（３１）は、同時刻に２つのテレビジョン信号を受信可能に構成されている。第１子機２のＨＤＤ２２は、テレビ番組を録画する機能を有している。
【００３０】
第１子機２（第２子機３）の制御部２３（３２）は、第１子機２（第２子機３）の各部と通信可能に接続されており、各部を制御可能に構成されている。また、制御部２３（３２）は、通信部２３１（３２１）およびフラッシュメモリ２３２（３２２）を有している。制御部２３（３２）の通信部２３１（３２１）は、ＵＳＢ接続可能に構成されている。また、通信部２３１（３２１）は、親機１の制御部１６に設けられた通信部１６１に接続されている。これにより、第１子機２（第２子機３）の制御部２３（３２）は、親機１の制御部１６と双方向通信することが可能である。また、第１子機２の制御部２３および第２子機３の制御部３２は、通信部２３１および３２１を介して互いに通信可能に接続されている。また、制御部２３（３２）のフラッシュメモリ２３２（３２２）には、図示しないアプリケーションプログラムが格納されている。また、制御部２３（３２）は、このアプリケーションプログラムを実行することによって、親機１が後述するＨＤＤの空き確認処理（図２参照）、録画処理（図３および図４参照）および再生処理（図５参照）を行う際に、親機１の制御部１６からの指示に基づいて所定の動作を実行するように構成されている。
【００３１】
第１子機２（第２子機３）の電源部２４（３３）は、制御部２３（３２）からの指示に基づいて、第１子機２（第２子機３）を電源オフ状態、スタンバイ状態（待機状態）、内部パワーオン状態および動作状態の各状態に切り替える機能を有している。具体的には、第１子機２および第２子機３の状態は、後述のように、親機１の制御部１６からの指示に基づいて切り替えられる。また、第１子機２および第２子機３は、親機１が電源オフ状態の場合には、電源オフ状態になり、親機１がスタンバイ状態（待機状態）の場合には、スタンバイ状態（待機状態）になるように構成されている。
【００３２】
次に、図２を参照して、本発明の一実施形態による録画システム１００の親機１により実行されるＨＤＤの空き確認処理について説明する。
【００３３】
まず、図２のステップＳ１において、制御部１６は、親機１がスタンバイ状態（待機状態）か否かを判断し、スタンバイ状態でない場合には、そのままＨＤＤ空き確認処理を終了する。すなわち、親機１がスタンバイ状態の場合にのみ、制御部１６によりＨＤＤの空き確認が実施される。一方、親機１がスタンバイ状態の場合には、制御部１６は、ステップＳ２において、親機１とＨＤＤ２２を有する第１子機２とを内部パワーオン状態に切り替える。なお、第１子機２は、上述のように、親機１がスタンバイ状態の場合にはスタンバイ状態になっている。そして、ステップＳ３において、制御部１６は、親機１のＨＤＤ１５の空き容量を確認するとともに、第１子機２のＨＤＤ２２の空き容量を確認する。この際、制御部１６は、第１子機２の制御部２３に対して第１子機２のＨＤＤ２２の空き容量を確認する指示を出し、第１子機２の制御部２３から確認結果を受け取る。
【００３４】
その後、ステップＳ４において、制御部１６は、空き容量の少ないＨＤＤがあるか否かを確認する。具体的には、制御部１６は、空き容量が２５ＧＢ（ギガバイト）以下であれば、ＨＤＤの空き容量が少ないと判断する。そして、制御部１６は、親機１のＨＤＤ１５および第１子機２のＨＤＤ２２のいずれもが２５ＧＢよりも大きい空き容量を有している場合（空き容量が少なくない場合）には、そのままＨＤＤ空き確認処理を終了し、いずれか一方でも空き容量が少ない場合には、ステップＳ５に進む。
【００３５】
制御部１６は、ステップＳ５において、タイマー予約時間を確認する。具体的には、制御部１６は、テレビ番組の録画予約があるか否かを確認するとともに、録画予約に基づく録画開始時間を確認する。そして、ステップＳ６において、制御部１６は、録画開始時間までに空き容量の小さい方から空き容量の大きい方にデータを移動することが可能か否かを判断する。すなわち、制御部１６は、録画が行われない間にデータ移動可能か否かを判断する。そして、間もなく録画が開始される場合など、データ移動するのに十分な時間がない場合には、制御部１６は、そのままＨＤＤ空き確認処理を終了する。これにより、テレビ番組を録画中にＨＤＤ間でデータ移動されるのが防止される。
【００３６】
一方、録画開始時間までにデータ移動が可能な場合には、制御部１６は、ステップＳ７において、親機１のＨＤＤ１５および第１子機２のＨＤＤ２２のうちの空き容量の小さい方から空き容量の大きい方へ所定量のデータ（たとえば、２番組分のデータ）を移動させる。その後、ステップＳ８において、制御部１６は、親機１および第１子機２を内部パワーオフ状態にしてＨＤＤ空き確認処理を終了する。なお、制御部１６は、上記のＨＤＤ空き確認処理を所定時間毎に実行する。また、上記のように、制御部１６により、親機１がスタンバイ状態（待機状態）の場合にデータの移動が行われるので、データ移動が他の動作と同時に行われるのを抑制することができる。これにより、各動作に不具合が生じるのを抑制することができる。
【００３７】
次に、図３および図４を参照して、本発明の一実施形態による録画システム１００の親機１により実行される録画処理について説明する。
【００３８】
図３のステップＳ１１において、制御部１６は、同時刻に録画する番組数を確認する。すなわち、制御部１６は、ユーザからの録画指示および録画予約に基づいて、同時録画する番組数を確認する。その後、ステップＳ１２において、制御部１６は、親機１のＨＤＤ１５の空き容量および第１子機２のＨＤＤ２２の空き容量を確認するとともに、親機１、第１子機２および第２子機３により受信可能な局数を確認する。そして、制御部１６は、ＨＤＤ１５および２２の空き容量および受信可能な局数に基づいて、同時録画可能な番組数を確認する。具体的には、制御部１６は、ＨＤＤ１５および２２の空き容量に何番組分録画可能かを判断するとともに、親機１、第１子機２および第２子機３により最大で６局受信可能（親機１、第１子機２および第２子機３のそれぞれが２局づつ受信可能）であると判断する。そして、制御部１６は、ＨＤＤ１５および２２の空き容量に６番組以上録画可能であると判断した場合には、同時録画できる番組数を６番組と判断するとともに、ＨＤＤ１５および２２の空き容量に５番組以下しか録画できないと判断した場合には、ＨＤＤ１５および２２の空き容量に録画可能な番組数（５番組以下）を同時録画できる番組数であると判断する。
【００３９】
その後、制御部１６は、ステップＳ１３において、ステップＳ１１で確認した同時録画番組数がステップＳ１２で確認した同時録画できる番組数以下（許容範囲内）であるか否かを判断する。許容範囲内であれば、ステップＳ１４に進み、同時録画番組数が同時録画できる番組数より多い場合（許容範囲外の場合）には、制御部１６は、ステップＳ１５において、入出力端子１３を介してＴＶ１３１に図示しないエラー画面を表示させる。エラー画面には、ユーザに対して同時録画する番組数を減らすことを促す表示がされる。そして、ステップＳ１６およびステップＳ１７において、制御部１６は、ユーザから録画指示または録画予約された番組のうちのいずれかの番組のキャンセルを受け付け、キャンセルを受け付けるまでこの処理を繰り返す。
【００４０】
その後、ステップＳ１４において、制御部１６は、同時録画する番組数（いずれかの番組がキャンセルされた場合には、キャンセル後の同時録画番組数）が２番組以下か否かを判断する。すなわち、制御部１６は、同時録画する番組数がチューナ部１１により受信可能な局数以下か否かを判断する。そして、２番組以下の場合には、制御部１６は、ステップＳ１８において、親機１のＨＤＤ１５の空き容量に基づいて同時録画する番組数が親機１で全て録画可能か否かを判断する。親機１で全て録画可能な場合には、制御部１６は、ステップＳ１９において、親機１で録画を実行する。この際、制御部１６は、親機１のチューナ部１１にテレビ番組を受信させるとともに、受信したテレビ番組をＨＤＤ１５に録画させる。
【００４１】
一方、親機１で全てを録画することができない場合には、制御部１６は、図４のステップＳ２０において、親機１で１番組を録画可能か否かを判断する。親機１で１番組を録画可能な場合には、制御部１６は、ステップＳ２１において、ＨＤＤ２２を有する第１子機２に対してスタンバイ状態（待機状態）から動作状態に切り替えるように指示する。これにより、第１子機２の電源部２４は、第１子機２をスタンバイ状態（待機状態）から動作状態に切り替える。なお、この際、第２子機３は、動作状態に切り替えられず、スタンバイ状態（待機状態）を維持している。そして、制御部１６は、ステップＳ２２において、親機１および第１子機２で録画を実行する。すなわち、制御部１６は、親機１のチューナ部１１にテレビ番組を受信させるとともに、受信したテレビ番組をＨＤＤ１５に録画させる。さらに、制御部１６は、第１子機２のチューナ部２１にテレビ番組を受信させるとともに、チューナ部２１により受信されたテレビ番組をＨＤＤ２２に録画させる。その後、ステップＳ３０に進む。
【００４２】
また、親機１で１番組も録画することができない場合には、制御部１６は、ステップＳ２３において、ＨＤＤ２２を有する第１子機２に対してスタンバイ状態（待機状態）から動作状態に切り替えるように指示する。そして、ステップＳ２４において、制御部１６は、第１子機２に録画を実行させる。すなわち、制御部１６は、第１子機２のチューナ部２１にテレビ番組を受信させるとともに、チューナ部２１により受信されたテレビ番組をＨＤＤ２２に録画させる。その後、ステップＳ３０に進む。
【００４３】
同時録画する番組数が２番組よりも多い場合（２番組以下でない場合）には、ステップＳ２５において、制御部１６は、同時録画番組数が３または４番組であるか否かを判断する。すなわち、制御部１６は、同時録画する番組数が親機１のチューナ部１１および第１子機２のチューナ部２１により受信可能な局数以下か否かを判断する。同時録画番組数が３または４番組である場合には、制御部１６は、ステップＳ２６において、ＨＤＤ２２を有する第１子機２に対してスタンバイ状態（待機状態）から動作状態に切り替えるように指示する。これにより、第１子機２の電源部２４は、第１子機２をスタンバイ状態（待機状態）から動作状態に切り替える。なお、この際、第２子機３は、動作状態に切り替えられず、スタンバイ状態（待機状態）を維持している。そして、ステップＳ２７において、制御部１６は、親機１および第１子機２で録画を実行する。すなわち、制御部１６は、親機１のチューナ部１１にテレビ番組を受信させるとともに、受信したテレビ番組をＨＤＤ１５に録画させる。さらに、制御部１６は、第１子機２のチューナ部２１にテレビ番組を受信させるとともに、チューナ部２１により受信されたテレビ番組をＨＤＤ２２に録画させる。これにより、３または４番組が同時録画される。
【００４４】
同時録画番組数が５または６番組である場合には、制御部１６は、ステップＳ２８において、第１子機２および第２子機３の両方に対してスタンバイ状態（待機状態）から動作状態に切り替えるように指示する。これにより、第１子機２の電源部２４および第２子機３の電源部３３は、それぞれ、第１子機２および第２子機３をスタンバイ状態（待機状態）から動作状態に切り替える。そして、ステップＳ２９において、制御部１６は、親機１で２番組を同時録画するとともに、第１子機２に２番組を録画させる。さらに、制御部１６は、第２子機３に１つまたは２つのテレビ番組を受信させ、第２子機３により受信されたテレビ番組を親機１で録画する。すなわち、制御部１６は、親機１のチューナ部１１に２つのテレビ番組を受信させるとともに、受信した２つのテレビ番組をＨＤＤ１５に録画させる。また、制御部１６は、第１子機２のチューナ部２１に２つのテレビ番組を受信させるとともに、チューナ部２１により受信された２つのテレビ番組をＨＤＤ２２に録画させる。さらに、制御部１６は、第２子機３のチューナ部３１に１つまたは２つのテレビ番組を受信させるとともに、第２子機３のチューナ部３１により受信された１つまたは２つのテレビ番組のデータを第２子機３から通信部１６１を介して受け取り、親機１のＨＤＤ１５に録画させる。これにより、５または６番組が同時録画される。また、このように第２子機３により受信したテレビ番組を親機１で録画することによって、第２子機３に録画機能を設ける必要がないので、第２子機３の構成を簡易にすることができる。
【００４５】
そして、ステップＳ３０において、制御部１６は、第１子機２からＨＤＤ２２に録画されたテレビ番組の録画情報を取得する。具体的には、制御部１６は、第１子機２の制御部２３から録画情報としての番組タイトルや収録時間などの情報を取得する。その後、録画処理は終了される。
【００４６】
次に、図５を参照して、本発明の一実施形態による録画システム１００の親機１により実行される再生処理について説明する。
【００４７】
図５のステップＳ３１において、制御部１６は、ユーザから親機１を動作状態に切り替える指示があるか否かを判断する。ユーザはリモコン１４１を用いて親機１に対してスタンバイ状態（待機状態）から動作状態に切り替える指示を行うことが可能である。制御部１６は、動作状態に切り替える指示があるまでこの判断を繰り返し、ユーザから指示があると、ステップＳ３２において、親機１をスタンバイ状態から動作状態に切り替える。具体的には、電源部１７が制御部１６の指示に基づいて親機１をスタンバイ状態から動作状態に切り替える。
【００４８】
その後、制御部１６は、ステップＳ３３において、ユーザから録画番組リストを表示する指示があるか否かを判断する。ユーザは、リモコン１４１を用いて親機１に対して録画番組リストを表示させる指示を行うことが可能である。制御部１６は、ユーザから録画番組リストの表示指示があるまでこの判断を繰り返し、表示指示があると、ステップＳ３４において、図６に示すように、ＴＶ１３１に録画番組リスト１３１ａを表示させる。この際、制御部１６は、親機１のＨＤＤ１５に録画された番組情報（番組タイトルや収録時間など）、および、上記した録画処理（図３および図４参照）のステップＳ３０において第１子機２から取得した録画情報に基づいて、ＨＤＤ１５および２２内の両方の番組を一覧表示させる。また、録画番組リスト１３１ａには、番組がＨＤＤ１５または２２のいずれに録画されているかについては表示されない。これにより、ユーザに番組の録画場所を意識させないようにすることができる。また、ユーザは、録画番組リスト１３１ａに一覧表示された番組タイトルを選択することによって対応する番組を再生して表示させることが可能である。
【００４９】
そして、ステップＳ３５において、制御部１６は、ユーザにより番組が選択されたか否かを判断し、選択されるまでこの判断を繰り返す。番組が選択されると、制御部１６は、ステップＳ３６において、選択された番組が親機１のＨＤＤ１５および第１子機２のＨＤＤ２２のいずれに録画されているかを判断する。親機１のＨＤＤ１５に録画されている場合には、制御部１６は、ステップＳ３７において、対応する番組を再生し、ステップＳ３８において、再生した番組をＴＶ１３１に表示させる。
【００５０】
一方、第１子機２のＨＤＤ２２に録画されている場合には、制御部１６は、ステップＳ３９において、第１子機２に対してスタンバイ状態（待機状態）から動作状態に切り替えるように指示する。これにより、第１子機２の電源部２４は、第１子機２をスタンバイ状態（待機状態）から動作状態に切り替える。なお、この際、第２子機３は、動作状態に切り替えられず、スタンバイ状態（待機状態）を維持している。その後、ステップＳ４０において、制御部１６は、対応する番組を第１子機２に再生させるとともに、第１子機２から通信部１６１を介して再生データを取得する。そして、制御部１６は、ステップＳ３８において、第１子機２から取得した再生データに基づいてＴＶ１３１に対応する番組を表示させる。
【００５１】
本実施形態では、上記のように、チューナ部１１が同時刻に２つのテレビ番組を受信する場合に、親機１により録画の指示を受け付けたテレビ番組を録画するためのテレビジョン信号を受信するように第１子機２の制御部２３および第２子機３の制御部３２に指示するように親機１の制御部１６を構成することによって、制御部１６による指示に基づいて、親機１により録画の指示を受け付けたテレビ番組を録画の指示を受け付けていない第１子機２および第２子機３により受信することができるので、ユーザは親機１に対して録画の指示を行うだけで、第１子機２および第２子機３でもテレビ番組を受信することができる。これにより、テレビ番組を録画するために他の機器（第１子機２および第２子機３）を用いた場合でも、ユーザに負担が掛かるのを抑制することができる。
【００５２】
また、本実施形態では、親機１により録画の指示が受け付けられた同時刻におけるテレビ番組の数がチューナ部１１が受信可能な所定数（本実施形態では２つ）よりも多い場合に、親機１により録画の指示が受け付けられたテレビ番組を録画するためのテレビジョン信号を受信するように第１子機２および第２子機３に指示するように親機１の制御部１６を構成することによって、親機１により受信可能な局数よりも多い数のテレビ番組を同時刻に受信することができるので、親機１により受信可能な局数よりも多い数のテレビ番組を同時刻に録画することができる。すなわち、ユーザに負担が掛かるのを抑制しながら、親機１により受信可能な局数よりも多い数のテレビ番組を同時刻に録画することができる。
【００５３】
また、本実施形態では、受信したテレビ番組を録画可能に第１子機２を構成するとともに、チューナ部１１が同時刻に所定数（本実施形態では２つ）のテレビジョン信号を受信する場合に、親機１により録画の指示が受け付けられたテレビ番組を録画するように第１子機２に指示するように親機１の制御部１６を構成することによって、第１子機２により受信されたテレビ番組を親機１のＨＤＤ１５に録画する必要がないので、ＨＤＤ１５の空き容量が小さくなるのを抑制することができる。
【００５４】
また、本実施形態では、親機１のＨＤＤ１５に録画されたテレビ番組および第１子機２のＨＤＤ２２に録画されたテレビ番組の両方を一覧表示する録画番組リスト１３１ａを表示するように親機１の制御部１６によりＴＶ１３１を制御することによって、親機１および第１子機２のいずれに録画されたテレビ番組であっても、ユーザが録画されたテレビ番組を一覧表示で確認することができる。これによっても、ユーザの負担を軽減することができる。
【００５５】
また、本実施形態では、親機１のＨＤＤ１５および第１子機２のＨＤＤ２２の一方の空き容量が２５ＧＢ以下の場合に、親機１のＨＤＤ１５および第１子機２のＨＤＤ２２の一方から他方にデータを移動することによって、親機１のＨＤＤ１５および第１子機２のＨＤＤ２２の一方の空き容量だけが極端に小さくなるのを抑制することができる。
【００５６】
また、本実施形態では、第２子機３により受信されたテレビ番組を親機１のＨＤＤ１５により録画することによって、録画機能を有さない第２子機３により受信されたテレビ番組でも確実に録画することができる。
【００５７】
また、本実施形態では、親機１の制御部１６により、親機１により録画の指示が受け付けられたテレビ番組を録画するためのテレビジョン信号を受信するように第１子機２に指示する際に、待機状態にある第１子機２および第２子機３のうちの第１子機２に対して待機状態から動作状態に切り替えるように指示することによって、第１子機２および第２子機３のうちの第２子機３を待機状態のまま維持することができるので、消費電力の低減を図ることができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態では、録画システムの一例として、１台の親機と２台の子機とを備えた録画システムを示したが、本発明はこれに限られない。本発明では、１台の親機と１台の子機とを備えた録画システムであってもよいし、１台の親機と３台以上の子機とを備えた録画システムであってもよい。
【００６０】
また、上記実施形態では、録画機能を有する第１子機および録画機能を有さない第２子機の両方を設ける構成の例を示したが、本発明はこれに限られない。本発明では、録画機能を有する子機のみを設ける構成であってもよいし、録画機能を有さない子機のみを設ける構成であってもよい。
【００６１】
また、上記実施形態では、表示装置としての機能を有さない構成の親機を示したが、本発明はこれに限られない。本発明では、表示装置としての機能を有する録画装置に本発明を適用してもよい。
【００６２】
また、上記実施形態では、ＨＤＤの空き確認処理において、録画装置としての親機および他の機器としての第１子機の空き容量が２５ＧＢ以下（所定量以下）の場合に他方にデータを移動する構成の例を示したが、本発明はこれに限られない。本発明では、空き容量が全体の容量の所定割合以下の場合にデータを移動する構成であってもよい。
【００６３】
また、上記実施形態では、ＨＤＤの空き確認処理において、空き容量の小さい方から空き容量の大きい方へデータを移動する構成の例を示したが、本発明はこれに限られない。本発明では、たとえば、録画機能を有する子機が複数ある場合には、空き容量の最も小さいものから空き容量の最も大きいものへデータを移動する構成であってもよい。
【００６４】
また、上記実施形態では、録画機能を有さない他の機器としての第２子機により受信したテレビ番組を録画装置としての親機で録画する構成の例を示したが、本発明はこれに限られない。本発明では、録画機能を有さない第２子機により受信したテレビ番組を録画機能を有する他の機器としての第１子機で録画する構成であってもよい。
【００６５】
また、上記実施形態では、録画装置としての親機と他の機器としての第１子機（第２子機）とをＵＳＢ接続する構成の例を示したが、本発明はこれに限られない。本発明では、双方向通信可能な接続であれば、親機と子機とをＬＡＮ（Ｌｏｃａｌ  Ａｒｅａ  Ｎｅｔｗｏｒｋ）接続する構成であってもよい。
【００６６】
また、上記実施形態では、他の機器の一例として、表示装置を接続するための接続部やＤＶＤ、ＢＤ（Ｂｌｕ−ｒａｙ  Ｄｉｓｃ）（登録商標）などの記録媒体からデータを読み出すローダを有さない第１子機（第２子機）を示したが、本発明はこれに限られない。本発明では、接続部やローダを有する他の機器（子機）であってもよい。この場合、たとえば、他の機器（子機）としてＤＶＤ録画装置やＢＤ録画装置を用いてもよい。
【００６７】
また、上記実施形態では、録画装置の一例として、２局のテレビジョン信号を受信可能な親機を示すとともに、他の機器の一例として、２局のテレビジョン信号を受信可能な第１子機（第２子機）を示したが、本発明はこれに限られない。本発明では、録画装置（親機）および他の機器（子機）は、１局のみのテレビジョン信号を受信可能な構成であってもよいし、３局以上のテレビジョン信号を受信可能な構成であってもよい。
【符号の説明】
【００６８】
１  親機（録画装置）
２  第１子機（他の機器）
３  第２子機（他の機器）
１１  チューナ部（第１チューナ部）
１３  入出力端子（接続部）
１５  ＨＤＤ（録画部）
１６  制御部（録画受付部、第１制御部）
２１  チューナ部（第２チューナ部）
２３  制御部（第２制御部）
３１  チューナ部（第２チューナ部）
３２  制御部（第２制御部）
１００  録画システム
１３１  ＴＶ（表示装置）
１６１  通信部
【図１】
2011120130.tif 000003
【図２】
2011120130.tif 000004
【図３】
2011120130.tif 000005
【図４】
2011120130.tif 000006
【図５】
2011120130.tif 000007
【図６】
2011120130.tif 000008